(57)【特許請求の範囲】
【請求項１】
水平方向の両端部にそれぞれ設けられた所定幅のテープ部の間の領域に、所定の間隔で配列された多数のグリッド素体を有し、色選別電極構体を構成したときに、表面を水平方向に横断するようにダンパ線が張架されるアパーチャグリルにおいて、
前記テープ部に、前記グリッド素体よりも板厚を薄くした薄板部を設け、
前記薄板部は、前記ダンパ線の張架予定領域における前記テープ部の前記グリッド素体側の端部を含み、アパーチャグリル表面に対して凹部を成すように形成されている
ことを特徴とするアパーチャグリル。
【請求項２】
前記薄板部の表面は、
前記アパーチャグリル表面に対して平行に、あるいは前記グリッド素体側に傾斜して形成されている
ことを特徴とする請求項１記載のアパーチャグリル。
【請求項３】
前記薄板部の表面は、
平面、または凸曲面である
ことを特徴とする請求項１または２に記載のアパーチャグリル。
【請求項４】
請求項１ないし３のいずれかに記載のアパーチャグリルと、
前記アパーチャグリルの垂直方向の両縁部の裏面が固着されて前記アパーチャグリルを支持するフレームと、
前記フレームに設けられたダンパスプリングと両端部が前記ダンパスプリングに固着されたダンパ線から成り、前記ダンパ線を前記アパーチャグリル表面に張架することにより前記グリッド素体の振動を抑制するダンパ機構とを備え、
前記テープ部の前記薄板部を通過するように前記ダンパ線を張架した
ことを特徴とする色選別電極構体。
【発明の詳細な説明】
【０００１】
【発明の属する技術分野】
本発明は、カラーブラウン管中に使用される色選別電極構体を構成するアパーチャグリルに関するものである。
【０００２】
【従来の技術】
カラーブラウン管においては、電子銃から発射された電子ビームを特定色の蛍光体のみに到達させるように、蛍光体面近傍に色選別電極を有する色選別電極構体を配置している。この色選別電極は、金属薄板に電子ビームが通過するスリットを設けたものであり、スリット形状およびその配置によりいくつかのタイプがある。このような色選別電極の１つとして、垂直方向に細長い線状のスリットを所定の間隔で多数配列したアパーチャグリルと称されるものがある。このアパーチャグリルを用いた色選別電極構体としては、アパーチャグリルを弾性フレームにて張架した構造のものがある。
【０００３】
図３は従来のアパーチャグリル１０を用いた色選別電極構体の一例を示す斜視図である。また図４は図３に示す従来のアパーチャグリル１０の部分構造図であり、（ａ）は部分斜視図、（ｂ）は（ａ）のＡ−Ａ断面図である。図３に示す色選別電極構体は、アパーチャグリル１０と、フレーム２と、ダンパ機構（以下、ダンパという）３とを有する。フレーム２は、相対向する一対の支持棒２１と、支持棒２１間に差し渡って取り付けられる一対の弾性支持体２２から成る。
【０００４】
アパーチャグリル１０は、金属薄板に所定の間隔でスリット１２を形成したものであり、スリット１２に挟まれた金属薄板部分はグリッド素体（以下、グリッドという）１１となる。アパーチャグリル１０の水平方向の両端部はテープ部１０３と呼ばれ、このテープ部１０３の幅はグリッド１１の幅よりも広い。またアパーチャグリル１０は、垂直方向の両縁部の裏面が曲率半径Ｒｚの支持棒２１に固着されて、フレーム２に取り付けられている。
【０００５】
図３に示す色選別電極構体を用いたカラーブラウン管においては、アパーチャグリル１０のグリッド１１が外部からの振動および衝撃により振動すると、色ずれとなって現れる。ダンパ３は、アパーチャグリル１０の個々のグリッド１１の振動を抑制するために設けられるものであり、弾性支持体２２に取り付けられたダンパスプリング３１と、ダンパ線３２からなる。ダンパ線３２は、その端部がダンパスプリング３１に溶接され、支持棒２１の曲率半径Ｒｚに沿ったアパーチャグリル１０表面を水平方向に横断するように張架されており、個々のグリッド１１の表面にそれぞれ接触している。
【０００６】
【発明が解決しようとする課題】
以上のようにダンパ線３２はアパーチャグリル１０のグリッド１１およびテープ部１０３に直交して張架されるため、カラーブラウン管の製造過程においてテープ部１０３にねじれ変形が生ずると、図４に示すようにテープ部１０３がダンパ線３２を持ち上げ、ダンパ線３２がグリッド１１表面から浮いてしまう。ダンパ線３２がグリッド１１表面に接触していないと、グリッド１１が外部からの振動および衝撃により振動してしまい、カラーブラウン管の色ずれとなって現れる。
【０００７】
本発明は、このような従来の問題を解消するためになされたものであり、テープ部にねじれ変形が生じても、ダンパ線をグリッド表面に接触した状態に保持することができ、グリッドが振動することにより発生するカラーブラウン管の色ずれを防ぐことができるアパーチャグリルおよび色選別電極構体を提供することを目的とする。
【０００８】
【課題を解決するための手段】
上記の目的を達成するために本発明のアパーチャグリルは、水平方向の両端部にそれぞれ設けられた所定幅のテープ部の間の領域に、所定の間隔で配列された多数のグリッド素体を有し、色選別電極構体を構成したときに、表面を水平方向に横断するようにダンパ線が張架されるアパーチャグリルにおいて、前記テープ部に、前記グリッド素体よりも板厚を薄くした薄板部を設け、前記薄板部が、前記ダンパ線の張架予定領域における前記テープ部の前記グリッド素体側の端部を含み、アパーチャグリル表面に対して凹部を成すように形成されていることを特徴とする。
【０００９】
ここで、前記薄板部の表面は、例えば、アパーチャグリル表面に対して平行に、あるいは前記グリッド素体側に傾斜して形成される、平面、あるいは凸曲面である。
【００１０】
また、本発明の色選別電極構体は、上記本発明のアパーチャグリルと、前記アパーチャグリルの垂直方向の両縁部の裏面が固着されて前記アパーチャグリルを支持するフレームと、前記フレームに設けられたダンパスプリングと両端部が前記ダンパスプリングに固着されたダンパ線から成り、前記ダンパ線を前記アパーチャグリル表面に張架することにより前記グリッド素体の振動を抑制するダンパ機構とを備え、前記テープ部の前記薄板部を通過するように前記ダンパ線を張架したことを特徴とする。
【００１１】
【発明の実施の形態】
実施の形態１．
図１は本発明の実施の形態１を示すアパーチャグリル１の部分構造図であり、（ａ）は部分斜視図、（ｂ）は（ａ）のＡ−Ａ断面図である。ただし、図１は図３に示したフレーム２およびダンパ３とともに色選別電極構体を構成したときのアパーチャグリル１を示す図であり、単体のアパーチャグリル１を示す図ではない。色選別電極構体を構成したときには、アパーチャグリル１の裏面１ｂの垂直方向の両縁部は支持棒２１に固着され、表面１ａのダンパ線張架予定領域１ｃにはダンパ線３２が張架される。
【００１２】
まず、色選別電極構体を構成する以前の単体のアパーチャグリル１について説明する。アパーチャグリル１は、水平方向の両端部にそれぞれ所定幅のテープ部１３を有し、またテープ部１３の間の領域に、水平方向に所定の間隔で多数配列されたグリッド１１と、グリッド１１に挟まれたスリット１２とを有するものである。グリッド１１およびスリット１２は、垂直方向に細長い線状の電極および貫通孔である。テープ部１３のダンパ線張架予定領域１ｃには、薄板部１３ａが設けられている。尚、この薄板部１３ａの詳細については後述する。
【００１３】
上記のアパーチャグリル１は、例えば長方形の金属平板を用い、この金属平板の水平方向の両端部にそれぞれテープ部１３となる部分を残し、スリット１２を所定の間隔で多数形成し、このスリット１２に挟まれた部分をグリッド１１とすることにより製造される。スリット１２は、例えば化学エッチング法を用いて形成される。
【００１４】
アパーチャグリル１が板厚ｔの金属平板から成るものとすると、アパーチャグリル表面１ａとアパーチャグリル裏面１ｂとは、距離ｔを隔てて平行な位置関係にある２つの平面である。グリッド１１表面および薄板部１３ａを除くテープ部１３表面はアパーチャグリル表面１ａに含まれ、またグリッド１１裏面およびテープ部１３裏面はアパーチャグリル裏面１ｂに含まれる。
【００１５】
テープ部１３の薄板部１３ａの板厚は、薄板部１３ａの表面がアパーチャグリル表面１ａに対して凹面となるように、グリッド１１の板厚ｔよりも薄くしてある。この薄板部１３ａは、例えばテープ部１３の表面を化学エッチング法を用いてハーフエッチングする、あるいは切削加工することにより形成される。
【００１６】
薄板部１３ａは、テープ部１３のダンパ線張架予定領域１ｃの全域に設けられている。テープ部１３の薄板部１３ａ表面は、アパーチャグリル表面１ａに対し平行な平面であり、薄板部１３ａ表面およびグリッド側端部１３ｃは、アパーチャグリル表面１ａとアパーチャグリル裏面１ｂとの間の空間に位置する。
【００１７】
次に、上記単体のアパーチャグリル１を用いた色選別電極構体の製造工程について簡単に説明する。図３に示したフレーム２の支持棒２１に、アパーチャグリル裏面１ｂの垂直方向の両縁部をそれぞれ固着させることにより、アパーチャグリル１をフレーム２に取り付る。次にアパーチャグリル表面１ａのダンパ線張架予定領域１ｃにダンパ線３２を張架し、ダンパ線３２の両端部をフレーム２に設けられたダンパスプリング３１にそれぞれ溶接する。このとき、ダンパ線３２は、グリッド１１およびテープ部１３の薄板部１３ａにそれぞれ接触する。このようにして色選別電極構体が製造され、この色選別電極構体を用いてカラーブラウン管が製造される。
【００１８】
カラーブラウン管の製造過程において、テープ部１３はねじれ変形を生じ、テープ部１３の端部がアパーチャグリル表面１ａ（ここでは支持棒２１の曲率半径Ｒｚに準じた曲面である）に対して浮き上がってダンパ線３２を持ち上げ、ダンパ線３２をグリッド１１の表面から浮き上がらせてしまう。このテープ部１３のねじれ量すなわちテープ部１３の端部の浮き量は、アパーチャグリル１のインチサイズ、板厚ｔ、テープ部１３の幅、ダンパ線３２の張架力等によって異なる。また、テープ部１３のねじれ変形は、アパーチャグリル１のインチサイズ、板厚ｔ、張架力等に関係なく、必ず図１に示すようにグリッド側端部１３ｂが浮き上がる方向に生ずる。すなわち、図１（ｂ）において、テープ部１３は、必ず時計周りにねじれ変形を生ずる。
【００１９】
テープ部１３の薄板部１３ａの板厚を、テープ部１３にねじれ変形が生じてもグリッド側端部１３ｃがアパーチャグリル表面１ａから浮き上がらないような板厚にしておくことにより、ダンパ線３２がグリッド１１表面から浮くことを防止することができる。ここで薄板部１３ａの板厚を決めるということは、薄板部１３ａ表面からアパーチャグリル表面１ａまでの高さ寸法（薄板部１３ａによりアパーチャグリル表面１ａに形成された凹部の深さ寸法）を決めることに他ならない。
【００２０】
例えば、アパーチャグリル１において、板厚ｔを１００［μｍ］、テープ部１３の幅を３［ｍｍ］、インチサイズを２１インチとした場合には、テープ部１３のねじれ変形により生ずるグリッド側端部１３ｂの浮き量すなわちダンパ線３２の浮き量は、約４０［μｍ］となる。このとき、薄板部１３ａの板厚を５０［μｍ］、すなわちテープ部１３の薄板部１３ａ表面からアパーチャグリル表面１ａまでの高さ寸法を５０［μｍ］としおけば、テープ部１３にねじれ変形が生じても、グリッド側端部１３ｃはアパーチャグリル表面１ａから浮き上がることはなく、ダンバー線３２がグリッド１１表面に接触した状態を保持することができる。これにより、テープ部１３にねじれ変形が生じても、グリッド１１の振動を防止することができ、グリッド１１の振動に起因するカラーブラウン管の色ずれを防止することができる。
【００２１】
テープ部１３に薄板部１３ａを設けたアパーチャグリル１を用いたカラーブラウン管と、薄板部１３ａが設けられていない従来のアパーチャグリルを用いたカラーブラウン管とについて、グリッド１１の振動に起因して発生するカラーブラウン管の色ずれ現象の度合いを調査した。インチサイズは、アパーチャグリル１および従来のアパーチャグリルともに２１インチとした。グリッド１１の振動は、外部からの振動や衝撃により発生するものである。ダンパ線３２がそれぞれのグリッド１１表面に接触しており、浮き上がっていなければ、グリッド１１の振動を防止することができる。アパーチャグリル１を用いたカラーブラウン管と、従来のアパーチャグリルを用いたカラーブラウン管とをそれぞれ複数台ずつ製造し、これらのカラーブラウン管の各々について振動を与えたときの色ずれの度合いを調査した。調査方法の詳細については省略するが、従来のアパーチャグリルを用いたカラーブラウン管に比べて、アパーチャグリル１を用いたカラーブラウン管のほうが色ずれの度合いが小さい、すなわち色ずれの抑制効果が大きいことが判った。
【００２２】
このように実施の形態１によれば、アパーチャグリル１のテープ部１３のダンパ線張架予定領域１ｃに、アパーチャグリル表面１ａに対して凹部を成す薄板部１３ａを設け、この薄板部１３ａを通過するようにダンパ線３２を張架することにより、テープ部１３にねじれ変形が生じても、ダンパ線３２をグリッド１１表面に接触した状態に保持することができるので、グリッド１１の振動を防止することができ、グリッド１１の振動に起因して発生するカラーブラウン管の色ずれを防ぐことができる。
【００２３】
尚、上記実施の形態１においては、薄板部１３ａをテープ部１３のダンパ線張架予定領域１ｃに部分的に形成したが、テープ部１３の全面に形成しても良い。また薄板部１３ａを、ダンパ線張架予定領域１ｃ全域ではなく、グリッド側端部１３ｂを含む部分領域に形成しても良い。さらに、薄板部１３ａ表面は、アパーチャグリル表面１ａに平行な平面に限定されるものではなく、傾斜していても良く、また凸曲面であっても良い。
【００２４】
実施の形態２．
図２は本発明の実施の形態２を示すアパーチャグリル４の部分構造図であり、（ａ）は部分斜視図、（ｂ）は（ａ）のＡ−Ａ断面図である。ただし、図２は図３に示したフレーム２およびダンパ３とともに色選別電極構体を構成したときのアパーチャグリル４を示す図であり、単体のアパーチャグリル４を示す図ではない。色選別電極構体を構成したときには、アパーチャグリル裏面１ｂの垂直方向の両縁部は支持棒２１に固着され、アパーチャグリル表面１ａのダンパ線張架予定領域１ｃにはダンパ線３２が張架される。
【００２５】
アパーチャグリル４は、図１に示したアパーチャグリル１のテープ部１３と同じ幅のテープ部４３を水平方向の両端部に有するものである。テープ部４３のダンパ線張架予定領域１ｃには、アパーチャグリル表面１ａに対して凹面となるように、その板厚をグリッド１１側に傾斜をつけて薄くした薄板部４３ａが設けられている。この薄板部４３ａは、例えばテープ部４３の表面を化学エッチング法を用いてハーフエッチングする、あるいは切削加工することにより形成される。
【００２６】
薄板部４３ａは、テープ部４３のダンパ線張架予定領域１ｃ全域ではなく、テープ部４３のグリッド側端部４３ｂを含むグリッド１１側の部分領域に設けられている。薄板部４３ａの表面は、アパーチャグリル表面１ａに対し、グリッド側端部４３ｃに近づくほどアパーチャグリル表面１ａから離れるように傾斜する平面である。薄板部４３ａのグリッド側端部４３ｃはアパーチャグリル表面１ａとアパーチャグリル裏面１ｂとの間の空間に位置し、グリッド側端部４３ｃに対向する側の端部４３ｄはアパーチャグリル表面１ａに含まれる。また薄板部４３ａの裏面は、アパーチャグリル裏面１ｂに含まれる。
【００２７】
上記単体のアパーチャグリル４を用いて上記実施の形態１と同様にして色選別電極構体が製造され、この色選別電極構体を用いてカラーブラウン管が製造される。カラーブラウン管製造過程において、テープ部４３は、上記実施の形態１のテープ部１３と同様のねじれ変形を生じるが、薄板部４３ａのグリッド側端部４３ｃにおける板厚を、テープ部４３にねじれ変形が生じてもグリッド側端部４３ｃがアパーチャグリル表面１ａから浮き上がらないような板厚にしておくことにより、ダンパ線３２がグリッド１１表面から浮くことを防止することができる。
【００２８】
例えば、アパーチャグリル４において、板厚ｔを１００［μｍ］、テープ部４３の幅を３［ｍｍ］、インチサイズを２１インチとした場合には、テープ部４３のねじれ変形により生ずるテープ部４３のグリッド側端部４３ｂの浮き量すなわちダンパ線３２の浮き量は、上記実施の形態１と同様に約４０［μｍ］となる。このとき、薄板部４３ａのグリッド側端部４３ｃにおける板厚を５０［μｍ］、すなわちグリッド側端部４３ｃからアパーチャグリル表面１ａまでの高さ寸法を５０［μｍ］としておけば、テープ部４３にねじれ変形が生じてもダンバー線３２がグリッド１１表面に接触した状態を保持することができる。従ってグリッド１１の振動を防止し、カラーブラウン管の色ずれを防止することができる。
【００２９】
このように実施の形態２によれば、アパーチャグリル４のテープ部４３のダンパ線張架予定領域１ｃに、アパーチャグリル表面１ａに対して凹部を成し、表面がグリッド１１側に傾斜した薄板部４３ａを設け、この薄板部４３ａを通過するようにダンパ線３２を張架することにより、テープ部４３ａにねじれ変形が生じても、ダンパ線３２をグリッド１１表面に接触した状態を保持することができるので、上記実施の形態１と同様に、グリッド１１の振動を防止することができ、グリッド１１の振動に起因して発生するカラーブラウン管の色ずれを防ぐことができる。
【００３０】
尚、上記実施の形態２においては、ダンパ線張架予定領域１ｃにおけるグリッド側端部４３ｂを含む部分領域に薄板部４３ａを形成したが、ダンパ線張架予定領域１ｃ全域に形成しても良い。また薄板部４３ａをテープ部４３の全面に形成しても良い。さらに、薄板部４３ａ表面を、平面ではなく凸曲面としても良い。
【００３１】
【発明の効果】
以上説明したように本発明によれば、アパーチャグリルのテープ部に、ダンパ線張架予定領域におけるグリッド素体側の端部を含み、アパーチャグリル表面１ａに対して凹部を成すように、グリッド素体の板厚より薄い薄板部を設け、この薄板部を通過するようにダンパ線を張架することにより、アパーチャグリルのテープ部にねじれ変形が生じても、ダンパ線をグリッド素体表面に接触した状態に保持することができるので、グリッド素体の振動を防止することができ、グリッド素体の振動に起因して発生するカラーブラウン管の色ずれを防ぐことができるという効果がある。
【図面の簡単な説明】
【図１】  本発明の実施の形態１のアパーチャグリルにおけるグリッド素体とテープ部の部分斜視図および部分断面図である。
【図２】  本発明の実施の形態２のアパーチャグリルにおけるグリッド素体とテープ部の部分斜視図および部分断面図である。
【図３】  アパーチャグリルを用いた色選別電極構体を示す斜視図である。
【図４】  従来のアパーチャグリルにおけるグリッド素体とテープ部の部分斜視図および部分断面図である。
【符号の説明】
１，４  アパーチャグリル、  １ａ  アパーチャグリル表面、  １ｂ  アパーチャグリル裏面、  １ｃ  ダンパ線張架予定領域、  ２  フレーム、  ３  ダンパ機構、  １１  グリッド素体、  １３，４３  テープ部、  １３ａ，４３ａ  薄板部、  １３ｂ，４３ｂ  テープ部グリッド側端部、  １３ｃ，４３ｃ  薄板部グリッド側端部、  ２１  支持棒、  ２２  弾性支持体、  ３１  ダンパスプリング  、３２  ダンパ線。
【図１】
0003640757.tif 000002
【図２】
0003640757.tif 000003
【図３】
0003640757.tif 000004
【図４】
0003640757.tif 000005